(57)【要約】【課題】複数台の携帯端末を並べて同時に操作することのできる携帯端末の保持具を提供する。【解決手段】表示画面を有する携帯端末９１、９２の保持具１である。そして、保持具１は、複数の携帯端末９１、９２を保持する保持部材２を備え、保持部材２は、複数の携帯端末の各表示画面を同じ側に向けた状態で、複数の携帯端末９１、９２を保持するようになっている。具体的には、保持部材２は、複数の携帯端末９１、９２を保持するための複数の端末保持手段２０、２１を有し、各端末保持手段は、複数の大きさの携帯端末９１、９２を保持することができるようにされている【選択図】図１
0003200377.tif 000002
【実用新案登録請求の範囲】
【請求項１】
表示画面を有する携帯端末の保持具であって、
複数の携帯端末を保持する保持部材を備え、
前記保持部材は、前記複数の携帯端末の各表示画面を同じ側に向けた状態で、前記複数の携帯端末を保持することを特徴とする、携帯端末の保持具。
【請求項２】
表示画面を有する携帯端末の保持具であって、
複数の携帯端末を保持する保持部材を備え、
前記保持部材は、前記複数の携帯端末の各表示画面を同じ側に向けた状態で、前記複数の携帯端末を保持し、
前記保持部材は、複数の携帯端末を保持するための複数の端末保持手段を有し、
各端末保持手段は、閉じるように付勢されたクリップであり、連結部を介して互いに連結され、
それによって、複数の大きさの携帯端末を保持することができるようにされていることを特徴とする、請求項１に記載された携帯端末の保持具。
【請求項３】
表示画面を有する携帯端末の保持具であって、
複数の携帯端末を保持する保持部材を備え、
前記保持部材は、前記複数の携帯端末の各表示画面を同じ側に向けた状態で、前記複数の携帯端末を保持し、
前記保持部材は、複数の携帯端末を保持するための複数の端末保持手段を有し、
各端末保持手段は、固定されたＬ字型の端末保持手段と幅方向にスライド可能なＬ字型の端末保持手段とを有し、前記スライド可能なＬ字型の端末保持手段は幅が狭くなるように付勢されており、保持プレートの同じ側の表面に配置され、
それによって、複数の大きさの携帯端末を保持することができるようにされていることを特徴とする、請求項１に記載された携帯端末の保持具。
【請求項４】
表示画面を有する携帯端末の保持具であって、
複数の携帯端末を保持する保持部材を備え、
前記保持部材は、前記複数の携帯端末の各表示画面を同じ側に向けた状態で、前記複数の携帯端末を保持し、
前記保持部材は、複数の携帯端末を保持するための複数の端末保持手段を有し、
各端末保持手段は、複数の透明の袋部材であり、保持プレートの同じ側の表面に配置され、
それによって、複数の大きさの携帯端末を保持することができるようにされていることを特徴とする、請求項１に記載された携帯端末の保持具。
【請求項５】
前記保持部材は、電池を保持するための電池保持手段をさらに備えることを特徴とする、請求項１乃至請求項４のいずれか一項に記載された携帯端末の保持具。
【請求項６】
前記複数の携帯端末の表示画面を覆うカバーをさらに備え、
前記カバーには、前記複数の携帯端末のいずれか１つに接続するように切替可能なキーボードが設置されていることを特徴とする、請求項１乃至請求項５のいずれか一項に記載された携帯端末の保持具。
【請求項７】
前記保持部材は、前記複数の携帯端末の各表示画面が縦に並ぶように、前記複数の携帯端末を保持することを特徴とする、請求項１乃至請求項６のいずれか一項に記載された携帯端末の保持具。
【考案の詳細な説明】
【技術分野】
【０００１】
本考案は、携帯電話やタブレットなどの携帯端末の保持具に関するものである。
【背景技術】
【０００２】
従来、携帯電話やタブレットパソコンは、筐体に傷がつかないように保護ケースに入れられることが多い。さらに、ユーザは、携帯電話機を利用してインターネットにタブレットパソコンを接続する場合などに、携帯型の端末（携帯端末）を２台同時に使用することがある。また、家庭用および仕事用などの用途に応じて、複数の携帯端末を使用することもある。
【０００３】
ところで、これらの携帯電話機やタブレットパソコンは、内蔵電池が消耗しやすい。そこで、特許文献１には、携帯電話機およびタブレットパソコンを２台同時に充電することができる保護ケースが提案されている。
【先行技術文献】
【特許文献】
【０００４】
【特許文献１】特開２０１４−２２０９９４号公報
【考案の概要】
【考案が解決しようとする課題】
【０００５】
しかしながら、特許文献１の保護ケースは、複数の携帯端末を同時に充電できるものの、携帯電話機を接続用に使用することを想定しており、２台の携帯端末の表示画面を同時に見ることはできない。そのため、複数の携帯端末を用途に応じて使い分けているユーザが、２台の携帯端末を並べて同時に操作することはできなかった。
【０００６】
そこで、本考案は、複数台の携帯端末を並べて同時に操作することのできる携帯端末の保持具を提供することを目的としている。
【課題を解決するための手段】
【０００７】
前記目的を達成するために、本考案の携帯端末の保持具は、表示画面を有する携帯端末の保持具であって、複数の携帯端末を保持する保持部材を備え、前記保持部材は、前記複数の携帯端末の各表示画面を同じ側に向けた状態で、前記複数の携帯端末を保持することを特徴とする。
【考案の効果】
【０００８】
このように、本考案の携帯端末の保持具は、表示画面を有する携帯端末の保持具であって、複数の携帯端末を保持する保持部材を備え、保持部材は、複数の携帯端末の各表示画面を同じ側に向けた状態で、複数の携帯端末を保持する。このため、複数の携帯端末を並べて同時に使用することができる。
【図面の簡単な説明】
【０００９】
【図１】実施例１の横型の携帯端末の保持具の斜視図である。
【図２】実施例１の横型の携帯端末の保持具をカバーで覆った状態の斜視図である。
【図３】実施例２の縦型の携帯端末の保持具の斜視図である。
【図４】実施例３の携帯端末の保持具の斜視図である。
【図５】実施例４の携帯端末の保持具の斜視図である。
【考案を実施するための形態】
【００１０】
以下、本考案の実施の形態について図面を参照して説明する。
【実施例１】
【００１１】
（構成）
まず、図１を用いて本実施例の横並び型の携帯端末の保持具１の全体構成を説明する。本実施例の携帯端末の保持具１は、図１に示すように、表示画面を有する携帯端末９１、９２を保持であって、複数の携帯端末９１、９２を保持する保持部材としての保持プレート２を備えている。ここにおいて、本考案における「携帯端末」とは、携帯電話機、スマートフォン、タブレットコンピュータ、ＰＤＡ（携帯情報端末）などの、携帯可能であり表示画面を有する端末を含む。
【００１２】
保持プレート２は、樹脂などによって所定の強度の矩形板状に形成されるものであり、複数の携帯端末９１、９２の各表示画面を同じ側に向けた状態で、複数の携帯端末９１、９２を操作できるように保持する。保持プレート２は、複数の携帯端末９１、９２を横に２つ並べることのできる幅及び長さを有している。すなわち、保持プレート２は、複数の携帯端末９１、９２を保持するための複数の端末保持手段２０、２１を保持プレート２の同じ側の表面に備えている。端末保持手段２０、２１の組は、１つの携帯端末９１につき、縦方向に所定の距離をおいて少なくとも２組配置されている。
【００１３】
端末保持手段２０、２１は、固定されたＬ字形の端末保持手段２０と、幅方向（横方向）にスライド可能なＬ字形の端末保持手段２１と、を有している。すなわち、一方の端末保持手段２１が、携帯端末９１（９２）の横幅に応じて、横方向にスライド可能となっている。さらに、このスライド可能な端末保持手段２１は、バネ等によって幅が狭くなる方向に付勢されているため、携帯端末９１（９２）を、ずれたり抜け落ちたりしないように、しっかりと保持できるようになっている。
【００１４】
また、本実施例の携帯端末の保持具１は、電池９３を保持するための電池保持手段２２、２３を備えている。電池保持手段２２、２３は、端末保持手段２０、２１と同様に、固定されるＬ字形の保持手段２２と、スライド可能なＬ字形の保持手段２３と、を有している。電池９３は、複数の携帯端末９１、９２のいずれにも接続可能なコネクタを備えている。
【００１５】
さらに、本実施例の携帯端末の保持具１は、複数の携帯端末９１、９２の表示画面を覆うカバー２４をさらに備えている。このカバー２４には、複数の携帯端末９１、９２のいずれか１つに接続するように切替可能なキーボード２５が設置されている。
【００１６】
したがって、複数の携帯端末９１、９２を並べて同時に操作する場合には、図１のようにカバー２４を開いて使用する。一方、操作しない場合には、図２のようにカバー２４を閉じて使用する。なお、閉じた状態では、カバー２４に配置されたキーボード２５は、動作しないように制御されている。
【００１７】
（効果）
次に、本実施例の携帯端末の保持具１の奏する効果を列挙して説明する。
【００１８】
（１）上述してきたように、本実施例の携帯端末の保持具１は、表示画面を有する携帯端末を保持するための保持具１である。この携帯端末の保持具１は、複数の携帯端末９１、９２を保持する保持プレート２を備え、保持プレート２は、複数の携帯端末９１、９２の各表示画面を同じ側に向けた状態で、複数の携帯端末９１、９２を保持する。このため、複数の携帯端末９１、９２を並べて同時に使用することができる。すなわち、例えば２台の携帯端末を家庭用および仕事用に使い分けているユーザにとって、一方の手で保持しつつ、他方の手で２台とも操作できるため、便利である。また、電車の中などにおいて、ヒザに載せた状態で２台同時に保持し、両手で２台同時に操作することができる。
【００１９】
（２）また、保持プレート２は、複数の携帯端末９１、９２を保持するための複数の端末保持手段２０、２１を有し、各端末保持手段２０、２１は、複数の大きさの携帯端末を保持することができるようにされている。このため、様々な大きさ・種類の携帯端末を、本実施例の携帯端末の保持具１を用いて保持することができる。
【００２０】
（３）さらに、保持プレート２は、電池９３を保持するための電池保持手段２２、２３をさらに備えている。このため、電池を保持することで、携帯端末９１、９２を長時間使用できるようになる。
【００２１】
（４）そして、複数の携帯端末９１、９２の表示画面を覆うカバー２４をさらに備え、カバー２４には、複数の携帯端末９１、９２のいずれか１つに接続するように切替可能なキーボード２５が設置されている。このため、１台のキーボード２５で複数の携帯端末９１、９２に対する入力操作が可能である。
【実施例２】
【００２２】
以下、図３を用いて、実施例１と異なり、縦並び型の携帯端末の保持具１Ａについて説明する。なお、実施例１で説明した内容と同一乃至均等な部分の説明については同一符号を付して説明する。
【００２３】
（構成）
まず、構成について説明すると、本実施例の携帯端末の保持具１Ａは、実施例１と同様、図３に示すように、表示画面を有する複数の携帯端末９１、９２を保持する保持部材としての保持プレート３を備えている。
【００２４】
保持プレート３は、樹脂などによって所定の強度の矩形板状に形成されるものであり、複数の携帯端末９１、９２の各表示画面を同じ側に向けた状態で、複数の携帯端末９１、９２を操作できるように保持する。保持プレート３は、複数の携帯端末９１、９２を縦に２つ並べたものと、略同一の幅及び長さを有している。すなわち、保持プレート３は、複数の携帯端末９１、９２を保持するための複数の端末保持手段３０、３１を備えている。この端末保持手段３０、３１は、実施例１と異なり、弾性変形可能な材料によってＬ字形（爪状）に形成されており、携帯端末９１（９２）を配置する際には、手で力をかけて広げた状態にされ、手をはなすと狭まった状態に戻るように弾性変形して携帯端末９１（９２）を保持する。
【００２５】
そして、本実施例の保持プレート３は、縦長の矩形状に形成され、かつ、端末保持手段３０、３１は、２組を１セットとして、２セットの端末保持手段３０、３１が縦並びに配置されている。すなわち、保持プレート３は、複数の携帯端末９１、９２を、縦に並んだ状態で保持するようになっている。さらに、保持プレート３の片方の側面には、凹部３２〜３４、３５〜３７が形成され、手で保持する際に指がかかりやすくなっている。
【００２６】
そして、本実施例の携帯端末の保持具１Ａの保持プレート３は、ユーザの腹部などに押し当てられるパッド部３８と、ユーザの首にかけられる首かけ紐３９と、を備えている。
【００２７】
パッド部３８は、合成樹脂や合成ゴムなどによって円柱状に形成されるものであり、保持プレート３の末端に一体に取り付けられている。さらに、パッド部３８には、電池を収納することもできる。
【００２８】
首かけ紐３９は、合成樹脂や合成繊維などによって紐状に形成されるもので、ループ状にされて保持プレート３の先端に取り付けられている。したがって、首かけ紐３９をユーザの首にかけた状態で、パッド部３８を腹部に当てることで、ハンズフリーで２台の携帯端末９１、９２を保持することができる。
【００２９】
（効果）
次に、本実施例の携帯端末の保持具１Ａの奏する効果を説明する。
【００３０】
上述してきたように、本実施例の携帯端末の保持具１Ａの保持プレート３は、複数の携帯端末９１、９２の各表示画面が縦に並ぶように、複数の携帯端末９１、９２を保持する。これによって、保持プレート３を片手で保持するとともに、携帯端末９１、９２を片手で操作することができる。例えば、電車の中などで、一方の手で吊皮を把持しつつ、他方の手で複数台の携帯端末９１、９２を保持および操作できるようになる。
【００３１】
また、保持プレート３は、パッド部３８と、首かけ紐３９と、を備えていることで、首かけ紐３９をユーザの首にかけた状態で、パッド部３８を腹部に当てるようにすれば、ハンズフリーで２台の携帯端末９１、９２を保持することができる。
【００３２】
さらに、保持プレート３の片方の側面に、凹部３２〜３４、３５〜３７が形成されているため、手で保持する際に指がかかりやすくなっている。
【００３３】
なお、この他の構成および作用効果については、前記実施の形態と略同様であるため説明を省略する。
【実施例３】
【００３４】
以下、図４を用いて、実施例１、２とは異なる態様の携帯端末の保持具１Ｂについて説明する。なお、実施例１、２で説明した内容と同一乃至均等な部分の説明については同一符号を付して説明する。
【００３５】
（構成）
まず、構成について説明すると、本実施例の携帯端末の保持具１Ｂは、実施例１、２と異なり、図４に示すように、表示画面を有する複数の携帯端末９１、９２を保持する保持部材として連結部４２によって連結された端末保持手段としての一対のクリップ４０、４１を備えている。
【００３６】
クリップ４０（４１）は、図示しないバネなどによって閉じるように付勢されており、携帯端末９１、９２を挟みこんで保持するようになっている。クリップ４０（４１）の内面には、ゴムなどの滑り止めが設置されていることが好ましい。２つのクリップ４０、４１は、横に並んで配置されているため、表示画面が横に並んだ状態で携帯端末９１、９２を保持する。
【００３７】
そして、本実施例の保持部材としての一対のクリップ４０、４１は、連結部材４２によって横に連結されている。連結部材４２には、手で持ちやすいように把持部４３が取り付けられている。把持部４３は、連結部材４２に対して回転できるようにされ、かつ、起伏角度を変えることができるようにされている。
【００３８】
（効果）
次に、本実施例の携帯端末の保持具１Ｂの奏する効果を説明する。
【００３９】
上述してきたように、本実施例の携帯端末の保持具１Ｂは、複数の携帯端末９１、９２の表示画面が横に並ぶように、複数の携帯端末９１、９２を保持する。これによって、把持部４３を一方の手で保持するとともに、２台の携帯端末９１、９２を他方の手で操作することができる。
【００４０】
なお、この他の構成および作用効果については、前記実施の形態と略同様であるため説明を省略する。
【実施例４】
【００４１】
以下、図５を用いて、実施例１〜３とは異なる態様の携帯端末の保持具１Ｃについて説明する。なお、実施例１〜３で説明した内容と同一乃至均等な部分の説明については同一符号を付して説明する。
【００４２】
（構成）
まず、構成について説明すると、本実施例の携帯端末の保持具１Ｃは、図５に示すように、保持部材としての保持プレート２を備えている。保持プレート２は、複数の携帯端末９１、９２の各表示画面を同じ側に向けた状態で、複数の携帯端末９１、９２を操作できるように保持する。
【００４３】
すなわち本実施例の保持プレート２は、複数の端末保持手段として複数の透明の袋部材５０、５０を保持プレート２の同じ側の表面に備えている。さらに、透明の袋部材５０、５０の開口部には、フタ部材５１、５１がそれぞれ設置されている。
【００４４】
（効果）
次に、本実施例の携帯端末の保持具１Ｃの奏する効果を説明する。
【００４５】
上述してきたように、本実施例の携帯端末の保持具１Ｃの保持プレート２は、複数の透明の袋部材５０、５０を保持プレート２の同じ側の表面に備えている。このような構成によれば、複数の携帯端末９１、９２を並べて同時に使用することができる。
【００４６】
さらに、袋部材５０、５０の開口部を塞ぐフタ部材５１、５１を備えることで、携帯端末９１、９２の脱落を防止できるうえ、防水性も向上させることができる。この場合、保持プレート２を水に浮く素材で形成すれば、水面に落下した際の防水性をより向上させることができる。
【００４７】
以上、図面を参照して、本考案の実施例を詳述してきたが、具体的な構成は、この実施例に限らず、本考案の要旨を逸脱しない程度の設計的変更は、本考案に含まれる。
【００４８】
例えば、保持具に配置される携帯端末９１、９２は複数台であればよく、３台以上を同時に配置するように構成することもできる。
【００４９】
また、携帯端末９１、９２は、異なる種類・異なる大きさのものを配置することもできる。例えば、一方の端末が携帯電話機で、他方の端末がタブレットコンピュータであってもよい。
【００５０】
さらに、実施例４では、保持プレート２に複数の袋部材５０、５０を設置する例について説明したが、これに限定されるものではなく、中央が仕切られていない透明のフィルムを用いることもできる。この場合、フィルムを、携帯端末９１、９２の表示画面に密着するような素材によって作ることで、携帯端末９１、９２が横ずれしないようになる。
【００５１】
また、実施例３では、連結部４２に把持部４３が取り付けられている例について説明したが、把持部４３はなくてもよい。この場合、携帯端末９１、９２を保持した状態で机の上などに置くと、クリップ４０、４１がスタンドの機能を果たす。
【符号の説明】
【００５２】
１、１Ａ〜１Ｃ  保持具
２              保持プレート
２０、２１      端末保持手段（スライド）
２２、２３      電池保持手段
２４            カバー
２５            キーボード
３              保持プレート
３０、３１      端末保持手段（スライド）
４０、４１      端末保持手段（クリップ）
５０            端末保持手段（袋部材）
９１、９２      携帯端末
９３            電池
【図１】
0003200377.tif 000003
【図２】
0003200377.tif 000004
【図３】
0003200377.tif 000005
【図４】
0003200377.tif 000006
【図５】
0003200377.tif 000007